(57)【要約】  連続塗布装置（１）は、アプリケーターロール（４）と通板開口部（２ａ）との間に配設された飛散塗液回収装置（１０）を備え、飛散塗液回収装置（１０）は、鋼板（Ｓ）の幅方向両端部に対して所定間隔を空けて端部が対向配置された、鋼板（Ｓ）の幅方向外側の通板開口部（２ａ）を覆う飛散塗液回収板（１１ａ，１１ｂ）と、飛散塗液回収板（１１ａ，１１ｂ）を鋼板（Ｓ）の幅方向に沿って移動する移動機構と、を備える。
2019159560.tif 000002
【特許請求の範囲】
【請求項１】
通板開口部を介して鉛直上向き方向に搬送される鋼板の表面にアプリケーターロールにより塗液を連続的に塗布する連続塗布装置であって、  前記アプリケーターロールと前記通板開口部との間に配設された飛散塗液回収装置を備え、  前記飛散塗液回収装置は、前記鋼板の幅方向両端部に対して所定間隔を空けて端部が対向配置された、前記鋼板の幅方向外側の前記通板開口部を覆う飛散塗液回収板と、前記飛散塗液回収板を前記鋼板の幅方向に沿って移動する移動機構と、を備える  ことを特徴とする連続塗布装置。
【請求項２】
前記飛散塗液回収板の前記端部には切り欠き部が設けられ、前記鋼板の幅方向両端部が前記切り欠き部内を通過することを特徴とする請求項１に記載の連続塗布装置。
【発明の詳細な説明】
【技術分野】
【０００１】  本発明は、通板開口部を介して鉛直上向き方向に搬送される鋼板の表面にアプリケーターロールにより塗液を連続的に塗布する連続塗布装置に関する。
【背景技術】
【０００２】  従来の連続塗布装置では、アプリケーターロールの胴長方向両側端部の下方に屋根型の飛散塗液捕捉板を設置し、飛散塗液捕捉板によって溶接点通過時のクイックオープンによる飛散塗液をコーターパンへ回収することにより、飛散塗液によって鋼板に表面欠陥が発生することを抑制していた。
【先行技術文献】
【特許文献】
【０００３】
【特許文献１】特開２０１３−２３７０００号公報
【発明の概要】
【発明が解決しようとする課題】
【０００４】  従来の連続塗布装置によれば、板幅が異なる鋼板を連続的に処理する際、鋼板の板幅が減少することによって飛散塗液捕捉板と鋼板の幅方向端部（エッジ部）との間の距離が大きくなることにより、鋼板が通板されてくる通板開口部が完全には覆われなくなることがある。結果、鋼板や付帯ロールのエッジ部からの飛散塗液が通板開口部に浸入することにより鋼板に表面欠陥が発生し、歩留まりが低下する可能性がある。【０００５】  本発明は、上記課題に鑑みてなされたものであって、その目的は、鋼板の板幅が変化した場合であっても鋼板に表面欠陥が発生することを抑制可能な連続塗布装置を提供することにある。
【課題を解決するための手段】
【０００６】  本発明に係る連続塗布装置は、通板開口部を介して鉛直上向き方向に搬送される鋼板の表面にアプリケーターロールにより塗液を連続的に塗布する連続塗布装置であって、前記アプリケーターロールと前記通板開口部との間に配設された飛散塗液回収装置を備え、前記飛散塗液回収装置は、前記鋼板の幅方向両端部に対して所定間隔を空けて端部が対向配置された、前記鋼板の幅方向外側の前記通板開口部を覆う飛散塗液回収板と、前記飛散塗液回収板を前記鋼板の幅方向に沿って移動する移動機構と、を備えることを特徴とする。【０００７】  本発明に係る連続塗布装置は、上記発明において、前記飛散塗液回収板の前記端部には切り欠き部が設けられ、前記鋼板の幅方向両端部が前記切り欠き部内を通過することを特徴とする。
【発明の効果】
【０００８】  本発明に係る連続塗布装置によれば、鋼板の板幅が変化した場合であっても鋼板に表面欠陥が発生することを抑制できる。
【図面の簡単な説明】
【０００９】
【図１】図１は、本発明の一実施形態である連続塗布装置の構成を示す模式図である。
【図２】図２は、図１に示す連続塗布装置の変形例の構成を示す模式図である。
【発明を実施するための形態】
【００１０】  以下、図１，図２を参照して、本発明の一実施形態である連続塗布装置の構成について説明する。図１は、本発明の一実施形態である連続塗布装置の構成を示す模式図である。図２は、図１に示す連続塗布装置の変形例の構成を示す模式図である。
【００１１】  図１に示すように、本発明の一実施形態である連続塗布装置１は、鉛直上向き方向（図示矢印方向）に高速（例えば、２５０ｍｐｍ以上の速度）で搬送される鋼板Ｓの両面に塗液を塗布する装置であり、フロア板２、プレコートロール３、アプリケーターロール４、及び飛散塗液回収装置１０を備えている。
【００１２】  フロア板２は、鉛直上向き方向に搬送される鋼板Ｓが通過する矩形形状の通板開口部２ａを有する板材によって構成されている。
【００１３】  プレコートロール３は、フロア板２の上方に配置された、鋼板Ｓを挟持する一対のロール部材によって構成され、図示しないコーターパンやロール等から塗液の供給を受け、鋼板Ｓの両面に塗液を予備塗装する。塗液を予備塗装することによって、アプリケーターロール４による本塗装時に塗液の擦れやオーバーコート等の塗装欠陥が発生することを抑制できる。
【００１４】  アプリケーターロール４は、プレコートロール３の上方に配置された、鋼板Ｓを挟持する一対のロール部材によって構成され、図示しないコーターパンやロール等から塗液の供給を受け、鋼板Ｓの両面に塗液を本塗装する。
【００１５】  飛散塗液回収装置１０は、フロア板２とプレコートロール３との間に配設され、飛散塗液回収板１１ａ，１１ｂ、ガイドレール１２ａ１，１２ａ２，１２ｂ１，１２ｂ２、及び幅調整用治具１３ａ，１３ｂを備えている。
【００１６】  飛散塗液回収板１１ａ（１１ｂ）は、鉛直方向に立設する部材１１ａ１，１１ａ２（１１ｂ１，１１ｂ２）と、部材１１ａ１，１１ａ２（１１ｂ１，１１ｂ２）の上端部に設けられた屋根状部材１１ａ３（１１ｂ３）とからなる断面視略コの字状の部材によって構成されている。飛散塗液回収板１１ａ（１１ｂ）の端部は鋼板Ｓの幅方向両端部（エッジ部）に対して所定間隔を空けて対向配置され、飛散塗液回収板１１ａ（１１ｂ）は鉛直方向上方から見て鋼板Ｓの幅方向外側の通板開口部２ａを覆っている。なお、鋼板Ｓが蛇行して飛散塗液回収板１１ａ（１１ｂ）と接触することを抑制するために、所定間隔は１０〜３０ｍｍ程度とすることが望ましい。
【００１７】  ガイドレール１２ａ１，１２ａ２（１２ｂ１，１２ｂ２）は、水平方向に配設されたレール部材によって構成され、飛散塗液回収板１１ａ（１１ｂ）が水平方向に摺動可能な状態で飛散塗液回収板１１ａ（１１ｂ）を構成する部材１１ａ１，１１ａ２（１１ｂ１，１１ｂ２）の下端部を支持する。
【００１８】  幅調整用治具１３ａ（１３ｂ）は、飛散塗液回収板１１ａ（１１ｂ）を構成する屋根状部材１１ａ３（１１ｂ３）の上面に固定された棒状の部材により構成されている。幅調整用治具１３ａ（１３ｂ）を水平方向に移動させることによって、ガイドレール１２ａ１，１２ａ２（１２ｂ１，１２ｂ２）に沿って飛散塗液回収板１１ａ（１１ｂ）を水平方向に移動させることができる。これにより、鋼板Ｓの幅が変化した場合であっても、鋼板Ｓの幅方向に沿って飛散塗液回収板１１ａ（１１ｂ）を移動させ、飛散塗液回収板１１ａ（１１ｂ）の端部と鋼板Ｓとの間の距離を所定間隔に保つことができる。結果、鋼板Ｓの板幅が変化した場合であっても、鋼板Ｓや付帯ロールのエッジ部からの飛散塗液が通板開口部２ａに浸入することを抑制できるので、鋼板Ｓの表面に飛散塗液が付着して表面欠陥が発生することを抑制できる。
【００１９】  以上の説明から明らかなように、本発明の一実施形態である連続塗布装置１は、アプリケーターロール４と通板開口部２ａとの間に配設された飛散塗液回収装置１０を備え、飛散塗液回収装置１０は、鋼板Ｓの幅方向両端部に対して所定間隔を空けて端部が対向配置された、鋼板Ｓの幅方向外側の通板開口部２ａを覆う飛散塗液回収板１１ａ，１１ｂと、飛散塗液回収板１１ａ，１１ｂを鋼板Ｓの幅方向に沿って移動する移動機構と、を備える。これにより、鋼板Ｓの板幅が変化した場合であっても、鋼板Ｓや付帯ロールのエッジ部からの飛散塗液が通板開口部２ａに浸入することを抑制できるので、鋼板Ｓに表面欠陥が発生することを抑制できる。
【００２０】  なお、図２に示すように、飛散塗液回収板１１ａ，１１ｂの端部に切り欠き部１４ａ，１４ｂを設け、鋼板Ｓの幅方向両端部が切り欠き部１４ａ，１４ｂ内を通過することが望ましい。このような構成によれば、飛散塗液回収板１１ａ，１１ｂが通板開口部２ａを覆う面積を大きくできるので、鋼板Ｓや付帯ロールのエッジ部からの飛散塗液が通板開口部２ａに浸入することをより抑制し、鋼板Ｓに表面欠陥が発生することをより抑制できる。
【００２１】  以上、本発明者らによってなされた発明を適用した実施の形態について説明したが、本実施形態による本発明の開示の一部をなす記述及び図面により本発明は限定されることはない。すなわち、本実施形態に基づいて当業者等によりなされる他の実施の形態、実施例、及び運用技術等は全て本発明の範疇に含まれる。
【産業上の利用可能性】
【００２２】  本発明によれば、鋼板の板幅が変化した場合であっても鋼板に表面欠陥が発生することを抑制可能な連続塗布装置を提供することができる。
【符号の説明】
【００２３】  １  連続塗布装置  ２  フロア板  ３  プレコートロール  ４  アプリケーターロール  １０  飛散塗液回収装置  １１ａ，１１ｂ  飛散塗液回収板  １２ａ１，１２ａ２，１２ｂ１，１２ｂ２  ガイドレール  １３ａ，１３ｂ  幅調整用治具  １４ａ，１４ｂ  切り欠き部  Ｓ  鋼板
【図１】
2019159560.tif 000003
【図２】
2019159560.tif 000004
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
通板開口部を介して鉛直上向き方向に搬送される鋼板の表面にアプリケーターロールにより塗液を連続的に塗布する連続塗布装置であって、
前記アプリケーターロールと前記通板開口部との間に配設された飛散塗液回収装置を備え、
前記飛散塗液回収装置は、前記鋼板の幅方向両端部に対して所定間隔を空けて端部が対向配置された、前記鋼板の幅方向外側の前記通板開口部を覆う飛散塗液回収板と、前記飛散塗液回収板を前記鋼板の幅方向に沿って移動する移動機構と、を備え、
前記飛散塗液回収板の前記端部には切り欠き部が設けられ、前記鋼板の幅方向両端部が前記切り欠き部内を通過する
ことを特徴とする連続塗布装置。
【国際調査報告】
2019159560.tif 000005
2019159560.tif 000006
2019159560.tif 000007
2019159560.tif 000008